(57)【要約】【課題】多種類の携帯端末に対応可能な携帯端末カバーを簡素な構造で実現する。【解決手段】携帯端末に装着する携帯端末カバーであって、カバー本体と、固定部と、を備える。カバー本体は、携帯端末の少なくとも背面全体を覆うことが可能である。固定部は、カバー本体における携帯端末の背面と対向する背面対向面に設けられる。固定部は、接着部と、支持部と、を備える。接着部は、携帯端末の背面に接着する接着面を有する。支持部は、接着部を第１の位置と第２の位置との間でスライド移動可能に支持する。接着部が第１の位置に位置している状態で、携帯端末の背面全体がカバー本体に覆われ、接着部が第２の位置に位置している状態で、携帯端末の背面における端部がカバー本体よりも外側へ突出する。【選択図】図１
2017011403.tif 000002
【特許請求の範囲】
【請求項１】
携帯端末に装着する携帯端末カバーであって、
前記携帯端末の少なくとも背面全体を覆うことが可能なカバー本体と、
前記カバー本体における前記携帯端末の背面と対向する背面対向面に設けられた固定部と、
を備え、
前記固定部は、
前記携帯端末の背面に接着する接着面を有する接着部と、
前記接着部を第１の位置と第２の位置との間でスライド移動可能に支持する支持部と、
を備え、
前記接着部が前記第１の位置に位置している状態で、前記携帯端末の背面全体が前記カバー本体に覆われ、前記接着部が前記第２の位置に位置している状態で、前記携帯端末の背面における端部が前記カバー本体よりも外側へ突出する、携帯端末カバー。
【請求項２】
請求項１に記載の携帯端末カバーであって、
前記固定部は、前記接着部が前記第１の位置及び前記第２の位置に維持されるように前記接着部を位置決めする位置決め機構を更に備える、携帯端末カバー。
【請求項３】
請求項１又は請求項２に記載の携帯端末カバーであって、
前記接着面は、前記背面対向面よりも突出する位置に設けられている、携帯端末カバー。
【請求項４】
請求項１から請求項３までのいずれか１項に記載の携帯端末カバーであって、
前記携帯端末はスマートフォンである、携帯端末カバー。
【発明の詳細な説明】
【技術分野】
【０００１】
本発明は、携帯端末カバーに関する。
【背景技術】
【０００２】
携帯端末としてのスマートフォンに装着する携帯端末カバー（スマートフォンカバー）が知られている。一般に、スマートフォンには、背面における上端部にカメラのレンズが配置されており、スマートフォンカバーには、当該レンズを露出させる孔が形成されている。
【０００３】
しかしながら、スマートフォンの背面におけるレンズの位置は、スマートフォンの機種などに応じて異なり得るため、機種などに応じた多種類のスマートフォンカバーを用意する必要があった。
【０００４】
そこで、スマートフォンを上下方向にスライド移動可能に保持するスマートフォンカバーが提案されている（特許文献１参照）。特許文献１に記載のスマートフォンカバーは、スマートフォンの幅方向両側を挟持して固定する固定部が、カバー本体に対して上下方向にスライド移動可能に設けられている。
【先行技術文献】
【特許文献】
【０００５】
【特許文献１】特開２０１５−４６７１２号公報
【発明の概要】
【発明が解決しようとする課題】
【０００６】
しかしながら、前述した特許文献１に記載の構成では、本体の幅が異なる複数種類のスマートフォンを挟持可能とするため、固定部自体にも幅方向のスライド機構を設ける必要があり、構造が複雑になるという問題があった。
【０００７】
本発明は、多種類の携帯端末に対応可能な携帯端末カバーを簡素な構造で実現することを目的としている。
【課題を解決するための手段】
【０００８】
本発明の一側面は、携帯端末に装着する携帯端末カバーであって、カバー本体と、固定部と、を備える。カバー本体は、携帯端末の少なくとも背面全体を覆うことが可能である。固定部は、カバー本体における携帯端末の背面と対向する背面対向面に設けられる。固定部は、接着部と、支持部と、を備える。接着部は、携帯端末の背面に接着する接着面を有する。支持部は、接着部を第１の位置と第２の位置との間でスライド移動可能に支持する。接着部が第１の位置に位置している状態で、携帯端末の背面全体がカバー本体に覆われ、接着部が第２の位置に位置している状態で、携帯端末の背面における端部がカバー本体よりも外側へ突出する。このような構成によれば、携帯端末に接着して装着されるため、前述した特許文献１に記載のような複雑な構造とする必要がない。したがって、多種類の携帯端末に対応可能な携帯端末カバーを簡素な構造で実現することができる。
【０００９】
上記構成において、固定部は、接着部が第１の位置及び第２の位置に維持されるように接着部を位置決めする位置決め機構を更に備えていてもよい。このような構成によれば、携帯端末の背面全体がカバー本体に覆われた状態と、携帯端末の背面における端部がカバー本体よりも外側へ突出する状態と、で携帯端末を安定して保持することができる。
【００１０】
上記構成において、接着面は、背面対向面よりも突出する位置に設けられていてもよい。このような構成によれば、例えば携帯端末の背面におけるカメラのレンズ部分が突出している場合にも、その突出部が背面対向面に接触しにくくすることができる。
【００１１】
上記構成において、携帯端末はスマートフォンであってもよい。
【図面の簡単な説明】
【００１２】
【図１】（Ａ）は、接着部が第１の位置に位置している状態のスマートフォンカバーの正面図である。（Ｂ）は、接着部が第２の位置に位置している状態のスマートフォンカバーの正面図である。
【図２】（Ａ）は、スマートフォンに装着された状態のスマートフォンカバーの図１（Ａ）に対応する正面図である。（Ｂ）は、スマートフォンに装着された状態のスマートフォンカバーの図１（Ｂ）に対応する正面図である。
【図３】スマートフォンカバーの側面図である。
【発明を実施するための形態】
【００１３】
以下、本発明の例示的な実施形態について図面を参照しながら説明する。
［１．構成］
図１〜図３に示すスマートフォンカバー１は、携帯端末の一例としてのスマートフォン４に装着されることにより、スマートフォン４の正面及び背面を覆う二つ折り形状の手帳型のカバーであり、カバー本体２と、固定部３と、を備える。図１〜図３では、開いた状態（二つ折りにされていない状態）のスマートフォンカバー１が示されている。図２に示すスマートフォン４は、概略長方形状の板状である。以下では、スマートフォンカバー１がスマートフォン４に装着された状態におけるスマートフォン４の長手方向をスマートフォンカバー１の上下方向と称する。なお、スマートフォン４は、複数の機種のスマートフォンの中の一例であり、スマートフォンカバー１は、多種類のスマートフォンに対応可能に構成されている。
【００１４】
カバー本体２は、概略長方形状のシート状に形成され、当該長方形の中央部においてスマートフォンカバー１の上下方向に沿って平行に形成された２本の折りたたみ線２１，２２でＵの字状に折りたたまれて、スマートフォン４を挟むように二つ折りにされる。カバー本体２は、例えば革製である。
【００１５】
カバー本体２における内側の面（スマートフォン４と対向する側の面）は、折りたたみ線２１，２２により３つの面である正面対向面２４、側面対向面２５及び背面対向面２６に区分される。正面対向面２４と側面対向面２５とは連続し、側面対向面２５と背面対向面２６とは連続する。これらの面はいずれも概略長方形状であり、その長手方向はスマートフォンカバー１の上下方向に一致する。正面対向面２４と背面対向面２６とは同一形状で、側面対向面２５はこれらの面よりも左右方向の幅が短く設計されている。
【００１６】
正面対向面２４は、カバー本体２が折りたたまれた状態においてスマートフォン４の正面と対向する面であり、その大きさはスマートフォン４の正面視での大きさよりも一回り大きく設計されている。なお、正面対向面２４には、クレジットカードやキャッシュカード等のカード類を収納可能な複数（この例では２つ）のポケット２４ａ，２４ｂが備え付けられている。
【００１７】
側面対向面２５は、カバー本体２が折りたたまれた状態においてスマートフォン４の側面と対向する面であり、その左右方向の幅はスマートフォン４の厚みよりも大きく設計されている。
【００１８】
背面対向面２６は、スマートフォン４の背面と対向する面である。ここで、背面対向面２６は、正面対向面２４と同一形状、つまりスマートフォン４の正面視での大きさよりも一回り大きいため、図２（Ａ）に示すようにスマートフォン４の背面全体を覆うことが可能である。また、図示しないが、カバー本体２が折りたたまれることで、正面対向面２４と背面対向面２６とでスマートフォン４の背面全体に加え正面全体も覆うことが可能である。
【００１９】
なお、カバー本体２には、ストラップ自体又はストラップを取り付けるための部品（例えばＤ型の形状をした環状の金具）を取り付けるためのストラップホールが設けられてもよい。このようなストラップホールは、例えば、側面対向面２５の上下方向の端部の少なくとも一方に設けられてもよい。
【００２０】
また、カバー本体２は、当該カバー本体２の左右両側の２つの辺（スマートフォンカバー１の上下方向と平行な辺）の一方から外側に突出したベルト部２３を備える。ベルト部２３は、カバー本体２が折りたたまれた状態で他方の辺に留められることにより、当該状態を維持するためのものである。なお、ベルト部２３を留める方式は特に限定されず、例えば、ボタンで留めるボタン式であってもよく、磁石で留めるマグネット式であってもよい。
【００２１】
固定部３は、背面対向面２６における中央部に設けられ、スマートフォン４をスマートフォンカバー１に固定するための樹脂製の部材であり、接着部３１と、支持部３２と、を備える。
【００２２】
接着部３１は、スマートフォン４を接着するためのものであり、板部３１ａと、板部３１ａの背面に立設された棒状の軸部（図示せず）と、軸部の先端に形成された鍔部（図示せず）と、板部３１ａに貼り付けられた粘着シート３１ｂと、を備える。軸部及び鍔部は、図２でいう右側に向かって形成されている。
【００２３】
板部３１ａは、概略長方形状の板状であり、その長手方向はスマートフォンカバー１の上下方向と一致する。板部３１ａの正面（カバー本体２が折りたたまれたときに正面対向面２４に対向する面）には長方形状の粘着シート３１ｂが貼り付けられ、これによりスマートフォン４の背面に接着する接着面３１ｃが形成される。
【００２４】
粘着シート３１ｂは、板部３１ａの正面視の大きさよりも一回り小さく、板部３１ａの縁（粘着シート３１ｂの外周部）には粘着シート３１ｂの存在しない隙間が形成されている。本実施形態では、スマートフォン４は、接着面３１ｃに着脱可能に接着されるが、粘着シート３１ｂの粘着力は強力であるため、一度貼付されると容易には剥がれにくい。また、接着面３１ｃは、図３に示すように、背面対向面２６よりも突出する位置に設けられている。
【００２５】
支持部３２は、接着部３１をスマートフォンカバー１の上下方向にスライド移動可能に支持する。支持部３２は、底部３２ａ及び枠部３２ｂを備える。
底部３２ａは、板部３１ａの背面と対向する部分であり、スマートフォンカバー１の上下方向に沿った長さが板部３１ａよりも長く、左右方向に沿った長さが板部３１ａと同じ又はやや長い概略長方形状の面を形成する。底部３２ａの外周には、背面対向面２６から突出する側に隆起した枠部３２ｂが形成されている。また、底部３２ａには、スマートフォンカバー１の上下方向に沿った溝（長孔）であるレール部３２ｃが形成される。レール部３２ｃの左右方向の幅は、接着部３１の軸部の幅よりも長く、接着部３１の鍔部の幅よりも短く設計されている。このレール部３２ｃに接着部３１の軸部が挿通され、レール部３２ｃの縁に鍔部が引っ掛けられることで、接着部３１が支持部３２から外れないように支持されている。このため、ユーザがスマートフォン４を介して接着部３１に力を加えることで、接着部３１がスマートフォンカバー１の上下方向にスライド移動する。
【００２６】
具体的には、接着部３１は、支持部３２により、図１（Ａ）に示す第１の位置と図１（Ｂ）に示す第２の位置との間でスライド移動可能に支持される。接着部３１が第１の位置に位置している状態では、図２（Ａ）に示すように、スマートフォン４の背面全体がカバー本体２に覆われ、接着部３１が第２の位置に位置している状態では、図２（Ｂ）に示すように、スマートフォン４の背面における端部がカバー本体２よりも外側へ突出する。図２（Ａ）及び（Ｂ）では、スマートフォン４の背面における上端部に配置されたカメラのレンズ部分４１が透過して図示される。つまり、図２（Ｂ）に示すように、接着部３１が第２の位置に位置している状態では、カメラのレンズ部分４１がカバー本体２よりも外側へ突出して、カメラによる撮像が可能になる。
【００２７】
固定部３は、接着部３１が第１の位置及び第２の位置に維持されるように接着部３１を位置決めする図示しない位置決め機構を備える。本実施形態では、例えばポッチ（小突起）のように、接着部３１のスライド移動を妨げる規制物を設けることで、規制力を上回る力が加えられていない状態では接着部３１の位置が維持され、規制力を上回る力が加えられると接着部３１が規制物を乗り越えてスライド移動できるようにしている。
【００２８】
［２．効果］
（２ａ）本実施形態では、スマートフォンカバー１は、接着面３１ｃを有する接着部３１を備え、スマートフォン４に接着して装着されるため、スマートフォンを取り付けるために複雑な構造とする必要がない。したがって、多種類のスマートフォンに対応可能なスマートフォンカバー１を簡素な構造で実現することができる。
【００２９】
（２ｂ）本実施形態では、固定部３は、接着部３１が第１の位置及び第２の位置に維持されるように接着部３１を位置決めする位置決め機構を備える。したがって、スマートフォン４の背面全体がカバー本体２に覆われた状態と、スマートフォン４の背面における端部がカバー本体２よりも外側へ突出する状態と、でスマートフォン４を安定して保持することができる。
【００３０】
（２ｃ）本実施形態では、接着面３１ｃは、背面対向面２６よりも突出する位置に設けられている。このような構成によれば、例えばスマートフォン４の背面におけるカメラのレンズ部分４１が突出している場合にも、その突出部が背面対向面２６に接触しにくくすることができる。
【００３１】
［３．他の実施形態］
以上、本発明の実施形態について説明したが、本発明は、上記実施形態に限定されることなく、種々の形態を採り得ることは言うまでもない。
【００３２】
（３ａ）上記実施形態では、スマートフォンカバー１は、手帳型のカバーであったが、これに限られない。換言すれば、上記実施形態では、カバー本体として、スマートフォン４の正面全体及び背面全体を覆うことが可能なカバー本体２を例示したが、これに限られず、カバー本体は、少なくとも背面全体を覆うことが可能な構成であればよく、例えば、正面を覆う部分を有しない構成でもよい。
【００３３】
（３ｂ）接着部の構成、例えば形状及び大きさなどは上記実施形態のものに限られない。例えば、接着部３１のうちのスマートフォン４を接着する部位である板部３１ａは概略長方形状であったが、これに限られず、例えば、丸状、菱形状、及び、四角形以外の多角形状、等であってもよい。また、上記実施形態では、接着部３１が１つの構成を例示したが、これに限られず、複数であってもよい。スマートフォン４を複数箇所で接着する構成によれば、１箇所でのみ接着する構成と比較して、支持状態を安定させることができ、上下方向のスライドを行いやすくすることができる。例えば、スマートフォン４の長手方向に沿って複数（例えば２つ）の接着部を設けてもよく、また例えば、スマートフォン４の四隅に対応した４つの接着部を設けてもよい。
【００３４】
（３ｃ）接着部３１の第１の位置、第２の位置及びスライド移動可能な範囲は上記実施形態のものに限られない。例えば、第１の位置が背面対向面２６における中央位置、換言すればスマートフォン４の背面における中央位置となるように設計されていれば、上記実施形態のように第１の位置が背面対向面２６におけるやや偏った位置である場合と比較して、支持状態を安定させることができる。
【００３５】
（３ｄ）上記実施形態では、板部３１ａの正面視の大きさよりも一回り小さい粘着シート３１ｂを例示したが、粘着シートの板部３１ａに対する相対的な大きさはこれに限られず、例えば、板部３１ａの正面全体を覆う大きさであってもよい。
【００３６】
（３ｅ）上記実施形態では、位置決め機構として接着部３１のスライド移動を妨げる規制物を設ける構成を例示したが、これに限られない。位置決め機構は、例えば、バネ等の弾性体などを用いることにより、接着部３１が第１の位置に近い範囲では第１の位置側への付勢力が働き、第２の位置に近い範囲では第２の位置側への付勢力が働くように構成されていてもよい。具体的には、例えば、接着部のスライド移動に伴い弾性体が変形する（例えばバネが縮む）ようにする。そして、接着部がスライド移動に伴い所定の基準位置（例えばスライド移動可能な範囲における中央位置）を超えると、反対側の第２の位置又は第１の位置へと弾性体により接着部が付勢されるように構成してもよい。
【００３７】
（３ｆ）上記実施形態では、携帯端末としてスマートフォン４を例示したが、これに限られず、携帯端末は、例えば、タブレット端末やその他の電子機器等であってもよい。
（３ｇ）上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【００３８】
１…スマートフォンカバー、２…カバー本体、３…固定部、４…スマートフォン、２１，２２…折りたたみ線、２３…ベルト部、２４…正面対向面、２５…側面対向面、２６…背面対向面、３１…接着部、３１ａ…板部、３１ｂ…粘着シート、３１ｃ…接着面、３２…支持部、３２ａ…底部、３２ｂ…枠部、３２ｃ…レール部。
【図１】
2017011403.tif 000003
【図２】
2017011403.tif 000004
【図３】
2017011403.tif 000005